(57)【要約】      （修正有）【課題】縫い目が完全に隠れた複数のポケット付き見開き可能な布袋を熟練度を必要とせずに容易に形成する。【解決手段】１枚の布面１の片面において、分割した方形の境界に沿って線２を印刷するか或いは、分割した方形の内側に図案３を印刷して、次に印刷した線もしくは印或いは図案の境界に沿って折りたたんで重ね合わせた布面を、両端から数ミリ〜数センチの位置で直線に縫った後に、重ね合わされた布地の表裏をひっくり返す。【選択図】図１
2009172331.tif 000002
【特許請求の範囲】
【請求項１】
１枚の布の片面において、方形状に分割した境界に沿って印線又は図案を印刷して、その印線又は図案の境界に沿って折りたたみ、両端を数ミリ〜数センチの位置で直線状に縫い、表裏をひっくり返すことにより、任意の位置に何重にもポケットが付き、更に任意の位置に任意の図案のついた裏布地付の布袋を容易に製造することを可能にした布袋製造法。
【請求項２】
一枚の布面において、折りたたむ境界を予め計算し、境界に沿って印線又は図案を印刷するか染色により描画して境界の目印としたものを１ユニットとして、これらと同一のパターンを連続的に繰り返し印刷又は染色した長尺の布地をユニット毎に裁断した後に、境界に沿って折りたたみひっくり返すことで熟練度を不要化した量産向きの布袋製造方法。
【発明の詳細な説明】
【技術分野】
【０００１】本発明は、お札などの貴重品や本等をポケットに収納する布袋でありながら、ポケットの位置を変えることにより状差しにもなり、更には見開き可能なブックカバーにもなり得る袋物製造法に関するものである。布袋表面には縫製前に予め印刷又は染色された模様が宣伝広告、或いは装飾の役目をするが、これらの模様は布袋製造における折りたたむ基準線の正確な指針の役割をも兼ねている。さらに詳しくは、この布袋に複数の図案を最少の工数で印刷して、且つ最少の縫製工数で布袋を形成する熟練度を必要としない量産向きの製造方法に関わるものである。
【背景技術】
【０００２】  従来の布袋製造法においては、別々の模様の布を所定の寸法に計ってカットし、順次重ねては縫う作業を繰り返していた。従って方形の表布地と裏布地をそれぞれ裁断して重ね合わせ、ポケットをつけようとするとさらにポケットの数に応じて裁断した生地をも重ね合わせ、その後に端部の糸のほつれを防ぐため複数回小さく折り曲げるために、外周部の厚みが厚くなり針が通りにくいので縫い代に沿っての縫製が困難となる。さらに縫い代を隠すために重ね合わされた布地の表裏をひっくり返すと、コーナー部に塊ができるため仕上げが綺麗にならないことが難点であった。
【発明の開示】
【発明が解決しようとする課題】
【０００３】従来の布袋製造法においては、布地の裁断数が多いために布地を正確に重ね合わせるのに手間がかかり、さらに重ね合わせる布地数が多いと表裏を引っくり返す時にコーナー部に塊を生じやすかった。加えるに縫製箇所も多く作業工程が多いため製造に多大の熟練度と時間を必要とした。
【課題を解決するための手段】
【０００４】本発明では、１枚の布面において、予め設計した位置に印線や又は図案を印刷するか染色しておけば、印線又は図案の境界に沿って順次折り曲げて重ね合せた後に数ミリ〜数センチの縫い代位置に沿って直線状に縫った後表裏をひっくり返すだけで任意の位置に任意の図案や模様のついた複雑な立体形状の布袋をいとも簡単に製造できることとなる。この方法を用いれば最少の工程で熟練度を必要とせずに正確に且つ美しく複雑な形状の布袋の量産が可能となる。【０００５】第１の発明では、１枚の布面の片面において、分割した方形の境界に沿って印線を印刷するか或いは、分割した方形の内側に図案を印刷して、次に印刷した印線或いは図案の境界に沿って折りたたんだ布面を、両端から数ミリ〜数センチの位置で直線に縫うだけで、布地表裏をひっくり返すと、縫い代が隠れる構造の複数ポケット付きの見開き方式布袋を容易に形成できることとなる。【０００６】第２の発明では、一枚の布面において、折りたたむ境界を予め計算し、境界に沿って印線又は図案を印刷するか染色により描画して境界の目印としたものを１ユニットとする。これらと同一のパターンを連続的に繰り返し印刷か染色した長尺の布地をユニット毎に裁断した後に、境界に沿って折りたたみひっくり返すことで熟練度を必要としない本発明の布袋の量産を可能ならしめる。
【発明の効果】
【０００７】本発明では、布地を折りたたむ境界を予め設計して、境界が判りやすいような印刷や染色を行うことで、裁断及び縫製の各工程を最少に抑えることが可能となった。【０００８】本発明の布袋製造法は折りたたんだ布の上端や下端の縫い代部の縫製が少なくできる。又端部の糸のほつれを防ぐための三巻に折り曲げて縫う必要がないために製造工程が大幅に短くできる。【０００９】本発明による布袋製造法用いると、製造現場において、複雑な構造の布袋を、熟練度を必要とせずに、しかも短時間で最少の工程で形成できるためにコスト低減が可能となるので量産化が可能となる。【００１０】加えるに、折りたたんだ布の両端を縫い代に沿って直線状に縫うのみなので、表裏を引っくり返す時にコーナー部に塊を生じることなく、外周部の仕上げをより綺麗に仕上げることが可能となる。【００１１】同時に、本発明の布袋製造法では表裏をひっくり返して仕上げるので、縫い代が完全に隠れるので仕上げが綺麗である。【００１２】本発明の布袋製造法により、僅かに折りたたむ回数を増やすだけでポケットの数を増やすことが可能となる。【００１３】本発明の布袋製造法ではポケットの大きさや形を変えても工数や製造時間に変動を生じない。【００１４】本発明の布袋製造法ではポケットの出入り口を真中に設けて開口構造とする場合も工数や製造時間に変動を生じない。【００１５】本発明の布袋製造法では図案のない無地に限りなく近い布地においても、ぎりぎりに認識可能な目印を微小に印刷すれば袋物の製造が容易に可能である。【００１６】本発明の布袋製造法は応用として、ポケットの位置をずらすことで壁掛け式状差し等に容易に変形することが可能である。【００１７】本発明の袋物製造法では応用として、布以外のビニール等の化成品や皮及び縫製可能にして折り曲げ可能な全ての材質に適用可能である。【００１８】本発明の袋物製造法は、布地への模様の印刷と縫製方法の工夫及び縫製個所を増やすことで更に複雑な立体形状の袋物を熟練度を必要とせずに製造することを可能とした。
【発明を実施するための最良の形態】
【００１９】本発明の袋物製造法は、布の片面に予め設計した位置に折れ線或いは図案をスクリーン印刷やインクジェット印刷で形成するか或いは、予め染色により折りたたみの基準線と模様を兼ねて図案を形成すれば、裁断と折りたたみ及び両端部の直線縫いだけを施せば複雑な形状の袋物を容易に形成できる。
【実施例】
【００２０】以下、この発明を添付図面にもとづき説明する。図１は本発明の請求項１により製作した布袋の概略図である。本発明の布袋製造法によれば、１枚の布地１に印線２或いは図案３を印刷して折りたたむことで、任意の位置に何重にもポケット５ａをはじめとするポケットが付き、更に任意の位置に任意の図案のついた裏布地付の布袋を容易に製造することが可能となる。
図２は請求項１により製作した布袋の断面図である。【００２１】図３は、本発明の請求項１の布袋の製造法を示したものである。即ち布地に印刷した印線２或いは図案３の境界に沿って順次折りたたんだ後、縫い目４に沿って縫製を施した後に、表裏をひっくり返すだけで図１の布袋ができあがるのである。しかも表裏をひっくり返したために図２の縫い目４は外観上隠れるので、綺麗な仕上り状態となる。【００２２】図４は請求項２の布袋の製造法である。一枚の布面において、折りたたむ境界を予め計算し、境界に沿って印線２又は図案３を印刷するか染色により描画して境界の目印としたものを１ユニットとする。これらと同一のパターンを連続的に繰り返し印刷か染色した長尺の布地をユニット毎に裁断した後に、図３の如く折りたたみひっくり返すことで熟練度を必要としない本発明の布袋の量産を可能ならしめる。【００２３】図５はポケットの折りたたむ位置をずらすことで状差しとして使用が可能になることを示したものである。【００２４】図６はポケットの折りたたみ方を変えることでポケット５ｄのように上側にもポケットが製作可能となる。【００２５】図７以下は、従来の布袋製法をあらわしている。図７は裁断した布地１の位置を合わせるところである。布袋の布地パーツは予め模様のついたものを組み合わせるか、或いは布袋の縫製後に印刷する。図８は従来布袋製造法による布袋の概略図である。図７の布地１の周辺のほつれを防ぐために、図８において外周部を小さく折り曲げて三巻状態に縫製して補強している。図９は従来の布袋を後ろ側から見たものである。図８で布地パーツの周辺を縫って組み合わせるが、縫い代が隠れるように、図９のごとく周辺を折り曲げて縫製し折り曲げ部６を設ける。図１０は裏布地付布袋製造法の概略図である。布地を２重にするには各布地パーツの重ね合わせに必要な枚数は２倍となる。各布地パーツを重ね合わせ基準面８に合わせて重ね、従来縫い目４ｂに沿って縫製するが、布が柔らかく動きやすいので正確な縫製は困難である。また縫い目がコーナーにかかるために、引っくり返すと図９のコーナー７に塊を生じやすく綺麗な仕上がりを得られないこととなる。
【産業上の利用可能性】
【００２６】本発明による布袋製造法用いると、製造現場において、複雑な構造の布袋を、容易に、しかも短時間に、最少の工程で形成できるためコスト低減と時間短縮が可能となり、量産化に適する。
【図面の簡単な説明】
【００２７】
【図１】請求項１により製作した布袋の概略図である。
【図２】請求項１により製作した布袋の断面図である。
【図３】請求項１の布袋の製造法である。
【図４】請求項２の布袋製造法である。
【図５】請求項１の他の実施例ある。
【図６】請求項１の他の実施例ある。
【図７】従来法の布袋製造の実施例である。
【図８】従来法の布袋製造の概略図である。
【図９】従来法の布袋製造の裏側から見た概略図である。
【図１０】従来法の裏布地付布袋製造の実施例である。
【符号の説明】
【００２８】１布地
２印線
３図案
４縫い目
５ａポケット
６折り曲げ部
７コーナー部
８重ね合わせ基準面
【図１】
2009172331.tif 000003
【図２】
2009172331.tif 000004
【図３】
2009172331.tif 000005
【図４】
2009172331.tif 000006
【図５】
2009172331.tif 000007
【図６】
2009172331.tif 000008
【図７】
2009172331.tif 000009
【図８】
2009172331.tif 000010
【図９】
2009172331.tif 000011
【図１０】
2009172331.tif 000012